(57)【要約】【課題】光の利用効率が高く、コンパクトな照明ユニットを提供する。【解決手段】ライン状の光を出射する光源１と、光源１からのライン状の光が入射する入射端面と、該入射端面に入射した光Ｌを導光する側面と、前記入射端面と非平行な出射端面とを有する導光板２と、導光板２の出射端面側と対向配置される対向ミラー４と、導光板２の出射端面近傍に配置され該出射端面から出射される光を対向ミラー４側に偏向させる偏向部材３Ａと、を備え、導光板２を透過する光のうち、前記出射端面で反射され前記側面から出射される光Ｌ１と、前記出射端面から出射され対向ミラー４で反射される光Ｌ２と、前記出射端面から出射され偏向部材３Ａで偏向され対向ミラー４で反射される光Ｌ３と、を被照明面６ａに帯状に照射する【選択図】図３
2013058984.tif 000002
【特許請求の範囲】
【請求項１】
被照明面に帯状に照明光を照射する照明ユニットであって、
ライン状の発光ランプまたは複数の発光素子がライン状に配列されてなるものである光源と、
前記光源からのライン状の光が入射する入射端面と、該入射端面に入射した光を導光する側面と、前記入射端面と非平行な出射端面とを有する導光板と、
前記導光板の出射端面側と対向配置されるミラーと、
前記導光板の出射端面近傍に配置され該出射端面から出射される光を前記ミラー側に偏向させる偏向部材と、を備え、
前記導光板を透過する光のうち、前記出射端面で反射され前記側面から出射される光と、前記出射端面から出射され前記ミラーで反射される光と、前記出射端面から出射され前記偏向部材で偏向され前記ミラーで反射される光と、を前記被照明面に帯状に照射することを特徴とする照明ユニット。
【請求項２】
前記偏向部材は、ミラーであることを特徴とする請求項１に記載の照明ユニット。
【請求項３】
前記偏向部材は、少なくとも三つの側面を有するプリズムであり、
該三つの側面のうちの一つの側面が前記出射端面と隙間をあけかつ平行に配置されていることを特徴とする請求項１に記載の照明ユニット。
【請求項４】
前記出射端面は、その表面に複数の微細な凸部または凹部を有することを特徴とする請求項１〜３のいずれかに記載の照明ユニット。
【請求項５】
前記凸部または凹部は、その長手方向が前記光源からの入射光のライン方向に直交する方向に沿った形状異方性を有していることを特徴とする請求項４に記載の照明ユニット。
【請求項６】
前記凸部または凹部は、その長手方向が前記光源からの入射光のライン方向に沿った形状異方性を有していることを特徴とする請求項４に記載の照明ユニット。
【請求項７】
請求項１〜６のいずれかに記載の照明ユニットと、結像光学素子と、撮像素子と、を備えることを特徴とする画像読取装置。
【請求項８】
請求項７に記載の画像読取装置を備えることを特徴とする画像形成装置。
【発明の詳細な説明】
【技術分野】
【０００１】
本発明は、原稿等の被照明面にライン状に照明光を照射する照明ユニット、該照明ユニットを照明光学系に用いた画像読取装置及び該画像読取装置を備えた画像形成装置に関するものである。
【背景技術】
【０００２】
画像読取装置（スキャナ装置）用の照明ユニットは、照明光照射方向で大別すると２方式が考えられる。すなわち、副走査断面で照明光の照射状態を見たとき、片側からのみ照射する方式と、両側から照明する方式である。片側から照明する方式は照明ユニットを小さくすることができるが、読み取りたい原稿に凹凸があると照明光による影が発生する問題がある。また、両側から照明する方式では照明による影が発生しないが、照明ユニットが大きくなる可能性がある。
すなわち、両側から照明する方式であって、コンパクトな照明ユニットが求められていた。またこのときの光の利用効率が大きいことも重要である。
【０００３】
特許文献１では、これらの要求に対応すべく、図１７に示すように、光源１からの光を入射する入射端面及び該入射端面と非平行な出射端面９２３を有する導光板９２と、対向ミラー９３と、を備え、導光板９２の側面９２２から透過した光と、出射端面９２３から透過し対向ミラー９３とにより帯状の被照明面６ａを照明する構成が提案されている。
【発明の概要】
【発明が解決しようとする課題】
【０００４】
しかしながら、特許文献１記載の発明はコンパクトな照明ユニットであるが、光の利用効率がまだ不十分であった。また、導光板からの直接光と対向ミラーからの反射光のバランスも悪かった。
【０００５】
本発明は、以上の従来技術における課題に鑑みてなされたものであり、光の利用効率が高く、コンパクトな照明ユニットを提供し、さらに該照明ユニットを用いた画像読取装置及び画像形成装置を提供することを目的とする。
【課題を解決するための手段】
【０００６】
前記課題を解決するために提供する本発明は、被照明面に帯状に照明光を照射する照明ユニットであって、ライン状の発光ランプまたは複数の発光素子がライン状に配列されてなるものである光源と、前記光源からのライン状の光が入射する入射端面と、該入射端面に入射した光を導光する側面と、前記入射端面と非平行な出射端面とを有する導光板と、前記導光板の出射端面側と対向配置されるミラーと、前記導光板の出射端面近傍に配置され該出射端面から出射される光を前記ミラー側に偏向させる偏向部材と、を備え、前記導光板を透過する光のうち、前記出射端面で反射され前記側面から出射される光と、前記出射端面から出射され前記ミラーで反射される光と、前記出射端面から出射され前記偏向部材で偏向され前記ミラーで反射される光と、を前記被照明面に帯状に照射することを特徴とする照明ユニットである。
【発明の効果】
【０００７】
本発明の照明ユニットによれば、導光板において入射端面に対して傾斜させた出射端面により導光板に入射した光を、出射端面で反射され側面から出射される光と、出射端面から透過・出射される光に二分し、さらに出射端面から出射される光について一部を直接ミラーで反射し、残りを偏向部材で偏向してミラーで反射するようにするので、被照明面の対象部分に対して副走査方向の両側から効率よく照明でき、かつ照明ユニットとしてコンパクト化を図ることができる。
【図面の簡単な説明】
【０００８】
【図１】本発明に係る照明ユニットを備えた画像読取装置の構成例（１）を示す概略図である。
【図２】本発明に係る照明ユニットを備えた画像読取装置の構成例（２）を示す概略図である。
【図３】本発明に係る照明ユニットの第１の実施形態の構成を示す断面図である。
【図４】本発明の照明ユニットに用いる導光板の構成を示す断面図である。
【図５】第１の実施形態の照明ユニットの照明性能シミュレーション結果を示す図である。
【図６】第１の実施形態の照明ユニットの具体的構成例（１）を示す断面図である。
【図７】第１の実施形態の照明ユニットの具体的構成例（２）を示す断面図である。
【図８】本発明に係る照明ユニットの第２の実施形態の構成を示す断面図である。
【図９】第２の実施形態の照明ユニットの照明性能シミュレーション結果を示す図である。
【図１０】第２の実施形態の照明ユニットの具体的構成例（１）を示す断面図である。
【図１１】図１０の照明ユニットで用いられるホルダーの構成を示す斜視図である。
【図１２】導光板の出射端面と偏向部材の側面との隙間を確保する構成例（１）を示す概略図である。
【図１３】導光板の出射端面と偏向部材の側面との隙間を確保する構成例（２）を示す概略図である。
【図１４】第２の実施形態の照明ユニットの具体的構成例（２）を示す断面図である。
【図１５】導光板の出射端面の表面状態を示す図である。
【図１６】本発明に係る画像形成装置の構成を示す概略図である。
【図１７】従来の照明ユニットの構成を示す断面図である。
【発明を実施するための形態】
【０００９】
以下に、本発明に係る照明ユニット、画像読取装置、画像形成装置の構成について説明する。
（画像読取装置）
図１は本発明に係る照明ユニットを備えた画像読取装置の構成例（１）を示す概略図であり、その基本構成・動作と、その機能を説明するためのものである。
図１において、画像読取装置１００は、その上面が被照明領域（原稿面）となるコンタクトガラス６と、コンタクトガラス６の下面側から被照明領域における被照明面へ光を照明する本発明の照明ユニット１０と、被照明面の反射光を結像光学素子７へ導く第１〜第３ミラーＭ１，Ｍ２，Ｍ３と、前記反射光を撮像素子８に結像させるスキャナレンズである結像光学素子７と、ＣＣＤラインセンサである撮像素子８と、を備える。
【００１０】
また、画像読取装置１００は、作動ミラー方式と呼ばれる装置であり、照明ユニット１０及び第１ミラーＭ１が第１キャリッジＣ１に搭載され、第２、第３ミラーＭ２，Ｍ３が第２キャリッジＣ２に搭載されて、画像読み取り動作の際に、第１キャリッジＣ１及び第２キャリッジＣ２それぞれが副走査方向（図中、左右方向）に移動する構成となっている。
【００１１】
画像読取装置１００において、コンタクトガラス６の上部に原稿が置かれ、この位置が被照明領域（被照射部）となる。そして、照明ユニット１０が副走査方向に移動しながら、被照明面に光を照射し、その反射光を撮像素子８が受光して画像信号を出力することにより、画像読取が行われる。
なお、照明ユニット１０は、光源、導光板及び偏向部材からなる照明光学系１０Ｌと対向ミラー４で構成されている（詳細については後述する）。
【００１２】
また、図２は本発明に係る照明ユニットを備えた画像読取装置の構成例（２）を示す概略図である。
図２において、画像読取装置１００は、照明ユニット１０と、第１，第２ミラーＭ１，Ｍ２と、結像光学素子７と、撮像素子８がすべてキャリッジＣに搭載されて、画像読み取り動作の際に、キャリッジＣが副走査方向（図中、左右方向）に移動する構成となっている。
【００１３】
本発明の照明ユニット１０は、図１，図２のいずれの構成の画像読取装置にも適用することができ、副走査断面でみると、読取光軸を挟んで両側から光を照射して被照明領域である原稿面の切り貼り部分や原稿の折り目部分を目立たなくすることができる。また、図１の場合、薄型の本発明の照明ユニット１０を第１キャリッジＣ１に搭載することにより、装置高さ方向に薄い画像読取装置を実現することができる。また、図２の場合、本発明の照明ユニット１０を含めて第１，第２ミラーＭ１，Ｍ２、結像光学素子７、撮像素子８すべてをキャリッジＣに搭載して一体モジュール化されるので、本発明による画像読取装置のコンパクト化の効果は大きい。
【００１４】
（照明ユニット）
図３は、本発明に係る照明ユニットの第１の実施形態の構成を示す断面図である。図３において、紙面垂直方向を主走査方向（ｘ方向）、左右方向を副走査方向（ｚ方向）、上下方向を高さ方向（ｙ方向）とする。
【００１５】
図３に示すように、照明ユニット１０は、被照明面６ａに帯状に照明光を照射する照明ユニットであって、ライン状の光を出射する光源１と、光源１からのライン状の光が入射する入射端面と、該入射端面に入射した光Ｌを導光する側面と、前記入射端面と非平行な出射端面とを有する導光板２と、導光板２の出射端面側と対向配置される対向ミラー４と、導光板２の出射端面近傍に配置され該出射端面から出射される光を対向ミラー４側に偏向させる偏向部材３Ａと、を備える。
【００１６】
ここで、光源１は、ライン状の発光ランプまたは複数の発光素子がライン状に配列されてなるものである。図３では、複数の白色発光ダイオード（ＬＥＤ）を主走査方向に離散的に配列した光源１を示している。
【００１７】
導光板２は、光源１から出射される光に対して透明な材料からなる。例えば、白色ＬＥＤアレイの光源１を用いた場合、導光板２にはガラス、プラスチックなどを利用することができる。
【００１８】
また、導光板２は、図４に示すように、光源１からのライン状の光が入射する入射端面２１と、該入射端面２１に入射した光Ｌを導光する上下の側面２２，２４と、入射端面２１と非平行な出射端面２３と、不図示の両側面の６面で構成されており、本実施形態では上下の側面２２，２４が平行な形状となっている。
【００１９】
導光板２の断面形状として、出射端面２３は、入射端面２１に対して傾いており、コンタクトガラス６側（図４の上側）の角の角度（α）は鋭角（例えば、２０°）、コンタクトガラス６から離れた側（図４の下側）の角の角度（β＋９０°）は鈍角（例えば、１６０°）となっている。すなわち、図３，図４において出者端面２３が図中下方に向くように傾いている。
【００２０】
偏向部材３Ａは、本実施形態ではミラーであり、例えばガラスやプラスチックの板材の主面に反射フィルムを貼り付けてなるものやＡｌなどの反射材料を蒸着によりコーティングしてなるものである。
【００２１】
また、偏向部材３Ａは、図３に示すように、出射端面２３の下方でその反射面が出射端面２３に面するように上向きにされつつ、読取光軸側（すなわち対向ミラー４側）に向くように、読取光軸に直交する水平軸に対して所定角度（例えば１５°）傾けて配置されている。
【００２２】
対向ミラー４は、偏向部材３Ａと同様の反射部材であり、図３に示すように、導光板２の出射端面２３側に対向する位置でその反射面が出射端面２３に面するように（図中右向きとなるように）立設されるとともに、被照明面６ａ側に向くように、読取光軸に対して所定角度（例えば３５°）傾けて配置されている。
【００２３】
以上のような構成の照明ユニット１０では、まず光源１から出射されたライン状の光は入射端面２１から導光板２に入射する。ついで、導光板２に入射した光Ｌは、側面２２，２４に反射され、あるいは側面２２，２４に当たらずに直接、出射端面２３に導かれる。出射端面２３に到達した光は、該出射端面２３において反射または透過する。このうち、出射端面２３で反射された光は所定の透過率で上側の側面２２を透過し、該側面２２から出射された光Ｌ１としてコンタクトガラス６に到達し、被照明面６ａを照明する。
一方、出射端面２３を透過した光は、その一部が対向ミラー４側に進み、対向ミラー４で反射された光Ｌ２としてコンタクトガラス６に到達し、被照明面６ａを照明する。また、出射端面２３を透過した光の他の一部は、偏向部材３Ａ側に進み、ついで偏向部材３Ａで反射されて対向ミラー４側に進み、さらに対向ミラー４で反射された光Ｌ３としてコンタクトガラス６に到達し、被照明面６ａを照明する。
【００２４】
ここで、本実施形態の照明ユニット（図３）の照明性能を光線追跡シミュレータで性能予測した。使用した光線追跡ソフトはオプティカル・リサーチ・アソシエーツ社のライトツールズ（LightTools）ver7.0である。
【００２５】
（シミュレーション条件）
光源１は、図３の紙面奥行き方向に７個のＬＥＤ素子が配列されている。光源１の導光板側の面からは、直径２．４ｍｍの円形領域から配光特性がランバート分布の白色光が放出されるように設定した。この光源１は青色のＬＥＤチップと黄色の蛍光体で構成された、いわゆる擬似白色タイプのＬＥＤである。
また、導光板２は前述のように直方体の一つの面を斜めにカットした形状であり、斜めの面が対向ミラー４側に配置される。この面の傾斜角βは７０°に設定した。導光板２の屈折率は５５０ｎｍの波長で１．５２である。
偏向部材３Ａは、平坦な反射面を有するミラーであり、導光板２の出射端面２３の下方でその反射面が出射端面２３に面するように上向きにされつつ、対向ミラー４側に向くように、読取光軸に直交する水平軸に対して１５°傾けて配置した。ミラー面の反射率を８５％と設定した。
対向ミラー４は、平坦な反射面を有するミラーであり、導光板２の出射端面２３側に対向する位置でその反射面が出射端面２３に面するように立設するとともに、コンタクトガラス６側に向くように、読取光軸に対して３５°傾けて配置した。ミラー面の反射率を８５％と設定した。
コンタクトガラス６は光学ガラスであるショット社のＢＫ７とした。被照明面６ａはコンタクトガラス６の上面に設定し、モデル上の原点に被照明面６ａの中央を一致させた。
【００２６】
図５に、そのシミュレーション結果を示す。ここでは、図３の被照明面６ａ中央部を原点として、副走査方向（ｚ方向）の照度分布を示している。また、図中、照明光のうち、導光板２からの直接光の照度分布を菱形のプロット（◆）のプロファイルａで示しており、対向ミラー４からの反射光の照度分布を四角のプロット（■）のプロファイルｂで示しており、その両者の合計の照度分布を三角のプロット（▲）のプロファイルａ＋ｂで示している。
【００２７】
図５では、照明光のうち、導光板２からの直接光の照度と対向ミラー４からの反射光の照度の比率が約８：２であった。また、被照明面６ａの５ｍｍ幅の被照明領域に光源１から出射された光の２４％の光が到達した。
【００２８】
このように、照明ユニット１０では、導光板２を透過する光のうち、出射端面２３で反射され側面２２から出射される光Ｌ１と、出射端面２３から出射され対向ミラー４で反射される光Ｌ２と、出射端面２３から出射され偏向部材３Ａで偏向され対向ミラー４で反射される光Ｌと、がコンタクトガラス６上の被照明面６ａに帯状（ライン状）に照射され、被照明面６ａの対象部分に対して副走査方向の両側から効率よく照明できるようになるので、原稿の凹凸（切り貼り原稿や原稿の折り目）を目立たなくすることが可能である。
【００２９】
また、本構成により、従来技術のように導光板を斜めに配置する必要がなく、光源１の副走査方向断面内の大きさよりもやや大きい程度で、導光板２、偏向部材３Ａ、対向ミラー４の光学素子が収まるため、高さ方向（ｙ方向）に省スペース化を図ることができ、コンパクトな照明ユニットを実現できる。
【００３０】
図６に、第１の実施形態の照明ユニットの具体的構成例（１）を示す。
図６に示すように、光源１、導光板２、偏向部材３Ａ、対向ミラー４はそれぞれ、コンタクトガラス６の主面に対して平行に配置されたベースプレート３３上で支持されている。
【００３１】
具体的には、ベースプレート３３に立設された実装基板１ａが光源１を支持している。なお、光源１及び実装基板１ａでＬＥＤパッケージを構成する。
【００３２】
また、光源１及び導光板２の下方には、実装基板１ａの光源１支持面位置から導光板２の先端位置まで延びる板形状であって、導光板２の先端側に対応する部分が出射端面２３に近づくように厚みの増したスペーサ３１がベースプレート３３上に設置されている。このスペーサ３１の厚みの増した部分の板面が対向ミラー４に向くように傾斜して形成されており、この傾斜した板面に、偏向部材３Ａが支持されている。該偏向部材３Ａは、板面に貼り付けた反射フィルムや、板面へのアルミ蒸着したものなどでよい。また、スペーサ３１は、導光板２も不図示の方法で支持している。これにより、ＬＥＤパッケージ（すなわち、光源１）と導光板２の位置決めを行うことができる。
【００３３】
また、ベースプレート３３は、被照明面６ａからの反射光を通す開口部３３ａを有しており、この開口部３３ａを挟んでスペーサ３１とは反対側に断面が略Ｌ字型のアングルである板金部材３２を有する。板金部材３２は、高さ方向（ｙ方向）に立設した面が導光板２の出射端面２３及び偏向部材３Ａに向けられるとともに、コンタクトガラス６側を向くように傾斜しており、この傾斜した面に、対向ミラー４が支持されている。
以上の構成によれば、容易に位置決めしつつコンパクトに照明ユニット１０を構成することができる。
【００３４】
図７に、第１の実施形態の照明ユニットの具体的構成例（２）を示す。
図７に示す構成は、図６の構成と比較すると、光源１に関してサイドビュー型ＬＥＤパッケージが用いられ、それに合わせてスペーサ３１’の形状が変わっており、それ以外は図６の構成と同じである。
【００３５】
具体的には、サイドビュー型ＬＥＤパッケージは、光源１を支持する実装基板１ｂがベースプレート３３の主面（すなわちコンタクトガラス６の主面）と平行に配置され、光源１から出射される光が実装基板１ｂの板面に平行となる構成となっている。また、スペーサ３１’の平板部分の厚みがスペーサ３１よりも薄くなっており、この平板部分に実装基板１ｂの板面が戴置されている。
以上の構成によれば、光源１を支持する実装基板１ｂをコンタクトガラス６と平行に配置できるため、図６の構成よりもより薄くコンパクトに構成することができる。
【００３６】
図８に、本発明に係る照明ユニットの第２の実施形態の構成を示す。
本実施形態の照明ユニット１０は、被照明面６ａに帯状に照明光を照射する照明ユニットであって、ライン状の光を出射する光源１と、光源１からのライン状の光が入射する入射端面と、該入射端面に入射した光Ｌを導光する側面と、前記入射端面と非平行な出射端面とを有する導光板２と、導光板２の出射端面側と対向配置される対向ミラー４と、導光板２の出射端面近傍に配置され該出射端面から出射される光を対向ミラー４側に偏向させる偏向部材３Ｂと、を備え、第１の実施形態のもの（図３）と比べると、偏向部材３Ｂが異なり、それ以外は同じである。
【００３７】
すなわち、偏向部材３Ｂは、本実施形態では少なくとも三つの側面Ｂ１，Ｂ２，Ｂ３を有する三角柱形状のプリズムである。また、該三つの側面のうちの一つの側面Ｂ１が導光板２の出射端面２３と一定の隙間ｄをあけ、かつ平行に配置されている。また、側面Ｂ３が対向ミラー４側を向いている。
なお、偏向部材３Ｂにおける三つの側面Ｂ１，Ｂ２，Ｂ３には反射コーティングを施す必要は特にない。
【００３８】
以上のような構成の照明ユニット１０では、まず光源１から出射されたライン状の光は入射端面２１から導光板２に入射する。ついで、導光板２に入射した光Ｌは、側面２２，２４に反射され、あるいは側面２２，２４に当たらずに直接、出射端面２３に導かれる。出射端面２３に到達した光は、該出射端面２３において反射または透過する。このうち、出射端面２３で反射された光は所定の透過率で上側の側面２２を透過し、該側面２２から出射された光Ｌ１としてコンタクトガラス６に到達し、被照明面６ａを照明する。
一方、出射端面２３を透過した光は、その一部が対向ミラー４側に進み、対向ミラー４で反射された光Ｌ２としてコンタクトガラス６に到達し、被照明面６ａを照明する。また、出射端面２３を透過した光の他の一部は、偏向部材３Ｂの側面Ｂ１から偏向部材３Ｂ内に入射し、側面Ｂ２で全反射され、ついで側面Ｂ３で透過屈折して対向ミラー４側に進み、さらに対向ミラー４で反射された光Ｌ３としてコンタクトガラス６に到達し、被照明面６ａを照明する。
【００３９】
ここで、本実施形態の照明ユニット（図８）の照明性能を光線追跡シミュレータで性能予測した。使用した光線追跡ソフトはオプティカル・リサーチ・アソシエーツ社のライトツールズ（LightTools）ver7.0である。なお、シミュレーション条件として、偏向部材３Ｂは、三角柱形状のプリズムであって、側面Ｂ１を導光板２の出射端面２３との間の隙間ｄ＝０．０７ｍｍで、かつ平行に配置し、側面Ｂ３を対向ミラー４側を向いて配置した。偏向部材３Ｂを構成する材料の屈折率は波長５５０ｎｍで１．５２である。これ以外の部材の条件は第１の実施形態の場合と同じとした。
【００４０】
図９に、そのシミュレーション結果を示す。ここでは、図８の被照明面６ａ中央部を原点として、副走査方向（ｚ方向）の照度分布を示している。また、図中、照明光のうち、導光板２からの直接光の照度分布を菱形のプロット（◆）のプロファイルａで示しており、対向ミラー４からの反射光の照度分布を四角のプロット（■）のプロファイルｂで示しており、その両者の合計の照度分布を三角のプロット（▲）のプロファイルａ＋ｂで示している。
【００４１】
図９では、照明光のうち、導光板２からの直接光の照度と対向ミラー４からの反射光の照度の比率が約８：２であった。また、被照明面６ａの５ｍｍ幅の被照明領域に光源１から出射された光の２３％の光が到達した。
【００４２】
このように、照明ユニット１０では、導光板２を透過する光のうち、出射端面２３で反射され側面２２から出射される光Ｌ１と、出射端面２３から出射され対向ミラー４で反射される光Ｌ２と、出射端面２３から出射され偏向部材３Ｂで偏向され対向ミラー４で反射される光Ｌと、がコンタクトガラス６上の被照明面６ａに帯状（ライン状）に照射され、被照明面６ａの対象部分に対して副走査方向の両側から効率よく照明できるようになるので、原稿の凹凸（切り貼り原稿や原稿の折り目）を目立たなくすることが可能である。
【００４３】
また、本構成により、従来技術のように導光板を斜めに配置する必要がなく、光源１の副走査方向断面内の大きさよりもやや大きい程度で、導光板２、偏向部材３Ｂ、対向ミラー４の光学素子が収まるため、高さ方向（ｙ方向）に省スペース化を図ることができ、コンパクトな照明ユニットを実現できる。さらに、偏向部材３Ｂをプリズムとすることにより、反射コーティングや反射フィルムなどを用いる必要がなくなるので、部品点数が減り、量産性が向上する。
【００４４】
図１０に、第２の実施形態の照明ユニットの具体的構成例（１）を示す。
図１０に示すように、光源１、導光板２、偏向部材３Ｂ、対向ミラー４はそれぞれ、コンタクトガラス６の主面に対して平行に配置されたベースプレート３３上で支持されている。
【００４５】
具体的には、ベースプレート３３端部に立設された実装基板１ａが光源１を支持している。なお、光源１及び実装基板１ａでＬＥＤパッケージを構成する。
【００４６】
また、偏向部材３Ｂ及び対向ミラー４はホルダー４０に支持され、ホルダー４０がベースプレート３３に設置されることにより、偏向部材３Ｂ及び対向ミラー４が適切な位置に配置されるようになっている。
【００４７】
ホルダー４０は、図１１に示すように、偏向部材３Ｂを支持する側面４１と、側面４１に対して副走査方向（ｚ方向）に対向して配置され対向ミラー４を支持する側面４２と、主走査方向（ｘ方向）に対向して配置される側面４３，４４と、からなる枠体である。このうち、側面４１は、偏向部材３Ｂから出射される光を通すための開口部を有している。また、側面４２は、導光板２の出射端面２３及び偏向部材３Ｂに向けられるとともに、コンタクトガラス６側を向くように傾斜しており、この傾斜した面に、対向ミラー４が支持されている。これにより、偏向部材３Ｂ及び対向ミラー４が所定の位置関係を保った状態で支持される。
なお、ホルダー４０は被照明面６ａからの反射光を通す開口部４０ａを有している。
【００４８】
このようなホルダー４０をベースプレート３３にお互いの開口部３３ａ，４０ａを合わせるようにして設置することにより、偏向部材３Ｂ及び対向ミラー４がベースプレート３３上の所定位置に配置されるようになる。このとき、導光板２の出射端面２３と偏向部材３Ｂの側面Ｂ１とを一定の隙間ｄで配置する必要がある。
【００４９】
そこで、図１２に示すように、偏向部材３Ｂの側面Ｂ１の所定位置（図１２では両端部の２箇所）にスペーサＳを設けておくとよい。これにより、偏向部材３Ｂの側面Ｂ１を導光板２の出射端面２３に押し当てるようにするだけで一定の隙間ｄが確保されるようになる。
【００５０】
あるいは、図１３に示すように、導光板２と偏向部材３Ｂの主走査方向の側面同士をプレートＰで一定の隙間ｄが確保されるように、接着固定してもよい。
【００５１】
以上の構成によれば、容易に位置決めつつコンパクトに照明ユニット１０を構成することができる。
【００５２】
図１４に、第２の実施形態の照明ユニットの具体的構成例（２）を示す。
図１４に示す構成は、図１０の構成と比較すると、光源１に関してサイドビュー型ＬＥＤパッケージが用いられ、それ以外は図１０の構成と同じである。
【００５３】
具体的には、サイドビュー型ＬＥＤパッケージは、光源１を支持する実装基板１ｂがベースプレート３３の主面（すなわちコンタクトガラス６の主面）と平行に戴置され、光源１から出射される光が実装基板１ｂの板面に平行となる構成となっている。
以上の構成によれば、光源１を支持する実装基板１ｂをコンタクトガラス６と平行に配置できるため、図１０の構成よりもより薄くコンパクトに構成することができる。
【００５４】
つぎに、第１の実施形態及び第２の実施形態の照明ユニット１０において、導光板２の出射端面２３は、その表面に複数の微細な凸部または凹部を有することが好ましい。
例えば、図１５（ａ）に示すように、出射端面２３表面に複数の微細な半球形状や円錐形状の凸部（あるいは凹部）２３ａを設けるとよい。これにより、出射端面２３から出射される光は主走査方向及び副走査方向に拡散され、被照明面６ａにおける照度分布の均一性を向上させることができる。詳しくは、光源１における主走査方向の光量のばらつきに起因する照度ムラを低減することができ、導光板２や偏向部材３Ａ，３Ｂや対向ミラー４の光学素子としての形状ばらつきや設置公差、寸法公差の許容範囲を広くすることができる。
【００５５】
また、図１５（ｂ）に示すように、出射端面２３表面に設けられる凸部（または凹部）２３ｂは、その長手方向が光源１からの入射光のライン方向（図１５（ｂ）において上下方向）に直交する方向に沿った形状異方性を有していることが好ましい。これにより、出射端面２３から出射される光は主走査方向に拡散され、とくに光源１における主走査方向の光量のばらつきに起因する照度ムラを低減することができる。
【００５６】
また、図１５（ｃ）に示すように、出射端面２３表面に設けられる凸部（または凹部）２３ｃは、その長手方向が光源１からの入射光のライン方向（図１５（ｃ）において上下方向）に沿った形状異方性を有していることが好ましい。これにより、出射端面２３から出射される光は副走査方向に拡散され、副走査方向の照度均一性に対するロバスト性が良好になる。
【００５７】
（画像形成装置）
図１６は、本発明に係る画像形成装置の構成を示す概略図である。
図１６に示すように、画像形成装置１６１は、制御手段である制御回路部１６５によって全体的な動作が制御される。制御回路部１６５は、各種処理を行うための中央処理装置（ＣＰＵ）や、各種制御用プログラム、各種制御データ、画像等を保存するための各種メモリ等を備えている。この画像形成装置１６１には、Ｃ（シアン）、Ｍ（マゼンタ）、Ｙ（イエロー）、Ｋ（ブラック）のトナー像に対応した静電潜像を形成するための書込手段である露光手段として４つの光走査装置１０１Ｃ，１０１Ｍ，１０１Ｙ，１０１Ｋを備えている。また、各色のトナー像を中間転写ベルト１６８上に形成するために４つのエンジンユニット（＝作像ユニット）１６２Ｃ，１６２Ｍ，１６２Ｙ，１６２Ｋが搭載されている。
【００５８】
図１６では符号を省略しているが、各エンジンユニット１６２Ｃ，１６２Ｍ，１６２Ｙ，１６２Ｋには、潜像担持体であるドラム状の感光体と、該感光体を帯電する帯電手段（帯電装置）と、帯電後に前記光走査装置１０１Ｃ，１０１Ｍ，１０１Ｙ，１０１Ｋにより感光体上に形成された静電潜像を各色のトナーで現像する現像手段（現像装置）と、現像により感光体上に形成されたトナー像を中間転写ベルト１６８上に転写する転写手段（一次転写装置）と、転写後の感光体をクリーニングするクリーニング手段（クリーニング装置）が設けられている。そして、各エンジンユニット１６２Ｃ，１６２Ｍ，１６２Ｙ，１６２Ｋの感光体上に形成された各色のトナー像を中間転写ベルト１６８に順次重ね合わせて転写し、中間転写ベルト１６８上にフルカラー画像からなるトナー像を形成する。
また、各エンジンユニット１６２Ｃ，１６２Ｍ，１６２Ｙ，１６２Ｋの現像手段には、同じ構造をした４つのトナー供給手段であるトナー供給装置１６６（１６６Ｃ，１６６Ｍ，１６６Ｙ，１６６Ｋ）により、各色のトナー像に対応したトナーが供給される。
【００５９】
中間転写ベルト１６８上に形成されたフルカラー画像からなるトナー像は、中間転写ベルト１６８の回転により矢印Ａ方向に移動し、二次転写部のローラ８０１の位置で、二次転写手段により紙等の転写材に転写される。トナー像転写後の転写材は定着手段（定着装置）１６７に搬送され、定着手段（定着装置）１６７で加熱されて定着された後、機外の排紙トレイ等に排出される。
【００６０】
以上のような構成の画像形成装置１６１において、装置本体の上部には画像読取装置１００が設けられており、この画像読取装置１００は、前述した照明ユニット１０を搭載したスキャナ装置である。
前述したように、本発明による照明ユニットは従来技術に比べて薄型にできるため、画像読取装置１００も薄く作ることができる。このため画像形成装置で原稿をセットする位置が必要以上に高くなることが無い。したがって画像形成装置をコンパクトにすることができる。
【００６１】
なお、これまで本発明を図面に示した実施形態をもって説明してきたが、本発明は図面に示した実施形態に限定されるものではなく、他の実施形態、追加、変更、削除など、当業者が想到することができる範囲内で変更することができ、いずれの態様においても本発明の作用・効果を奏する限り、本発明の範囲に含まれるものである。
【産業上の利用可能性】
【００６２】
本発明の照明ユニットは、前述した画像読取装置を搭載する複合機（コピー機）のような画像形成装置のみならず、検査装置の照明光学系に、例えば、液晶表示装置（液晶テレビ）のガラス基板（マザーガラス）のごみ検出のためのライン照明などにも利用することができる。
【符号の説明】
【００６３】
１    光源
１ａ，１ｂ    実装基板
２，９２    導光板
３Ａ，３Ｂ    偏向部材
４，９３    対向ミラー
６    コンタクトガラス
６ａ    被照明面
７    結像光学素子
８    撮像素子
１０    照明ユニット
１０Ｌ    照明光学系
２１    入射端面
２２，２４，９２２    側面
２３，９２３    出射端面
２３ａ，２３ｂ，２３ｃ    凸部（または凹部）
３１，３１’    スペーサ
３２    板金部材
３３    ベースプレート
３３ａ    開口部
４０    ホルダー
４０ａ    開口部
４１，４２，４３，４４    側面
１００    画像読取装置
１０１Ｃ，１０１Ｍ，１０１Ｙ，１０１Ｋ    光走査装置
１６１    画像形成装置
１６２Ｃ，１６２Ｍ，１６２Ｙ，１６２Ｋ    エンジンユニット（作像ユニット）
１６５    制御回路部
１６６（１６６Ｃ，１６６Ｍ，１６６Ｙ，１６６Ｋ）    トナー供給装置
１６７    定着装置
１６８    中間転写ベルト
８０１    ローラ
Ｂ１，Ｂ２，Ｂ３    側面
Ｃ，Ｃ１，Ｃ２，Ｃ３    キャリッジ
Ｌ，Ｌ１，Ｌ２，Ｌ３    光
Ｍ１，Ｍ２，Ｍ３    ミラー
Ｐ    プレート
Ｓ    スペーサ
【先行技術文献】
【特許文献】
【００６４】
【特許文献１】特開２０１１−８２６２６号公報
【図１】
2013058984.tif 000003
【図２】
2013058984.tif 000004
【図４】
2013058984.tif 000005
【図５】
2013058984.tif 000006
【図９】
2013058984.tif 000007
【図１１】
2013058984.tif 000008
【図１２】
2013058984.tif 000009
【図１５】
2013058984.tif 000010
【図１６】
2013058984.tif 000011
【図３】
2013058984.tif 000012
【図６】
2013058984.tif 000013
【図７】
2013058984.tif 000014
【図８】
2013058984.tif 000015
【図１０】
2013058984.tif 000016
【図１３】
2013058984.tif 000017
【図１４】
2013058984.tif 000018
【図１７】
2013058984.tif 000019